【手続補正書】
【提出日】平成31年1月28日(2019.1.28)
【手続補正１】
【補正対象書類名】明細書
【補正対象項目名】００６８
【補正方法】変更
【補正の内容】
【００６８】
本開示はその好ましい実施形態を参照して開示されてはいるものの、本開示は一例としてのみ提示しているのであって、限定するものではないことを理解すべきである。当業者は、これらの実施形態を本開示の精神と範囲から逸脱することなく改変及び変更することができる。従って、本開示の保護範囲は特許請求の範囲に規定した範囲を対象とするものである。
本発明の代表的な態様としては、以下を挙げることができる：
《態様１》
封止集成体を作製するための方法であって、
装飾部分と侵入構造部が形成された結合部分とを含むトリムを作製すること、そして、
該トリムの該結合部分を覆う固定用部分を含むガスケットを作製し、該固定用部分の一部を該結合部分の該侵入構造部内に埋め込むこと、
を含む、封止集成体の作製方法。
《態様２》
前記トリムが金属製であり、そして該トリムを作製することが、スタンピング法によって該トリムに前記侵入構造部を形成することを含む、態様１に記載の方法。
《態様３》
前記トリムをステンレス鋼又はアルミニウム合金で作製する、態様２に記載の方法。
《態様４》
前記トリムがプラスチック製であり、そして該トリムを射出成形により作製する、態様１に記載の方法。
《態様５》
前記トリムを作製することが、前記侵入構造部を形成するように前記結合部分に穴構造又は歯型構造を形成することを含む、態様１に記載の方法。
《態様６》
前記穴構造が前記結合部分に形成した複数の貫通穴を含み、該複数の穴の直径が０．５ｍｍ以上である、態様５に記載の方法。
《態様７》
前記歯型構造が前記結合部分に形成した複数の歯を含み、隣接する各対の歯の間の距離が０．５ｍｍ以上である、態様５に記載の方法。
《態様８》
前記トリムの結合部分を該トリムのエッジに形成し、そして前記ガスケットを作製することが、
前記トリムの第１面を覆う第１リップを形成すること、
該第１リップに結合されて前記結合部分と前記トリムの第２面とを覆う第２リップを形成すること、そして、
前記侵入構造部内に埋め込まれる固定用部品を形成し、該固定用部品に該第１リップ及び第２リップを結合させ、該第２リップと、該固定用部品と、該第１リップの前記第２リップと反対側の部分とが一緒になって前記固定用部分を構成すること、
を含む、態様１に記載の方法。
《態様９》
前記ガスケットを作製することが、前記第１リップと前記第２リップとの接合部分にガラス片を収容するための溝を形成することを含む、態様８に記載の方法。
《態様１０》
前記ガスケットを射出成形によって作製する、態様１に記載の方法。
《態様１１》
前記ガスケットをポリ塩化ビニル又は熱可塑性エラストマーで作製する、態様１又は１０に記載の方法。
《態様１２》
装飾部分と侵入構造部が形成された結合部分とを含むトリム、及び、
該トリムの該結合部分を覆う固定用部分を含み、該固定用部分の一部が該結合部分の該侵入構造部内に埋め込まれたガスケット、
を含む封止集成体。
《態様１３》
前記トリムが金属又はプラスチック製である、態様１２に記載の封止集成体。
《態様１４》
前記トリムがステンレス鋼又はアルミニウム合金製である、態様１２に記載の封止集成体。
《態様１５》
前記侵入構造部が穴構造又は歯型構造を含んでいる、態様１２に記載の封止集成体。
《態様１６》
前記穴構造が複数の貫通穴を含んでおり、該複数の貫通穴の直径が０．５ｍｍ以上である、態様１５に記載の封止集成体。
《態様１７》
前記歯型構造が複数の歯を含んでおり、隣接する各対の歯の間の距離が０．５ｍｍ以上である、態様１５に記載の封止集成体。
《態様１８》
前記トリムの結合部分が該トリムのエッジに配置されており、そして前記ガスケットが、
前記トリムの第１面を覆う第１リップ、
該第１リップと結合されて前記トリムの前記結合部分と第２面とを覆う第２リップ、及び、
前記侵入構造部内に埋め込まれた固定用部品であって、該第１リップ及び第２リップと結合されており、該第２リップと、該固定用部品と、該第１リップの前記第２リップと反対側の部分とが一緒になって前記固定用部分を構成している固定用部品、
を含んでいる、態様１２に記載の封止集成体。
《態様１９》
前記ガスケットがさらに、前記第１リップと前記第２リップとの接合部分に位置するガラス片を収容するための溝を含んでいる、態様１８に記載の封止集成体。
《態様２０》
前記ガスケットが射出成形品である、態様１２に記載の封止集成体。
《態様２１》
前記ガスケットがポリ塩化ビニル又は熱可塑性エラストマー製である、態様１２に記載の封止集成体。
《態様２２》
ガラスの個片と、
態様１２から２１までのいずれか１つに記載の封止集成体であって、該封止集成体のガスケットが該ガラスのエッジに配置されている封止集成体と、
を含む、輸送機関用窓ガラス。
【手続補正２】
【補正対象書類名】特許請求の範囲
【補正対象項目名】全文
【補正方法】変更
【補正の内容】
【特許請求の範囲】
【請求項１】
封止集成体を作製するための方法であって、
装飾部分と侵入構造部が形成された結合部分とを含むトリムを作製し、ここで、前記トリムの作製が、前記侵入構造部を形成するようにして、前記結合部分に歯型構造を形成することを含むこと、そして、
前記トリムの前記結合部分を覆う固定用部分を含むガスケットを作製し、このガスケットを作製する工程において、前記固定用部分の一部を、前記結合部分の前記侵入構造部内に埋め込み、かつ前記ガスケットを射出成形によって作製すること、
を含む、封止集成体の作製方法。
【請求項２】
前記トリムが金属製であり、そして前記トリムを作製することが、スタンピング法によって前記トリムに前記侵入構造部を形成することを含む、請求項１に記載の方法。
【請求項３】
前記トリムをステンレス鋼又はアルミニウム合金で作製する、請求項２に記載の方法。
【請求項４】
前記トリムがプラスチック製であり、そして前記トリムを射出成形により作製する、請求項１に記載の方法。
【請求項５】
前記歯型構造が前記結合部分に形成した複数の歯を含み、隣接する各対の歯の間の距離が０．５ｍｍ以上である、請求項１に記載の方法。
【請求項６】
前記トリムの前記結合部分を前記トリムのエッジに形成し、そして前記ガスケットを作製することが、
前記トリムの第１面を覆う第１リップを形成すること、
前記第１リップに結合されて前記結合部分と前記トリムの第２面とを覆う第２リップを形成すること、そして、
前記侵入構造部内に埋め込まれる固定用部品を形成し、前記固定用部品に前記第１リップ及び第２リップを結合させ、前記第２リップと、前記固定用部品と、前記第１リップの前記第２リップと反対側の部分とが一緒になって前記固定用部分を構成すること、
を含む、請求項１に記載の方法。
【請求項７】
前記ガスケットを作製することが、前記第１リップと前記第２リップとの接合部分にガラス片を収容するための溝を形成することを含む、請求項６に記載の方法。
【請求項８】
前記ガスケットをポリ塩化ビニル又は熱可塑性エラストマーで作製する、請求項１に記載の方法。
【請求項９】
装飾部分と侵入構造部が形成された結合部分とを含むトリムであって、前記侵入構造部が歯型構造を含んでいる、トリム、及び、
前記トリムの前記結合部分を覆う固定用部分を含むガスケットであって、前記固定用部分の一部が、前記ガスケットを作製する工程において、前記結合部分の前記侵入構造部内に埋め込まれており、かつ前記ガスケットは、射出成形品である、ガスケット、
を含む封止集成体。
【請求項１０】
前記トリムが金属又はプラスチック製である、請求項９に記載の封止集成体。
【請求項１１】
前記トリムがステンレス鋼又はアルミニウム合金製である、請求項９に記載の封止集成体。
【請求項１２】
前記歯型構造が複数の歯を含んでおり、隣接する各対の歯の間の距離が０．５ｍｍ以上である、請求項９に記載の封止集成体。
【請求項１３】
前記トリムの前記結合部分が前記トリムのエッジに配置されており、そして前記ガスケットが、
前記トリムの第１面を覆う第１リップ、
前記第１リップと結合されて前記トリムの前記結合部分と第２面とを覆う第２リップ、及び、
前記侵入構造部内に埋め込まれた固定用部品であって、前記第１リップ及び第２リップと結合されており、前記第２リップと、前記固定用部品と、前記第１リップの前記第２リップと反対側の部分とが一緒になって前記固定用部分を構成している、固定用部品、
を含んでいる、請求項９に記載の封止集成体。
【請求項１４】
前記ガスケットがさらに、前記第１リップと前記第２リップとの接合部分に位置するガラス片を収容するための溝を含んでいる、請求項１３に記載の封止集成体。
【請求項１５】
前記ガスケットがポリ塩化ビニル又は熱可塑性エラストマー製である、請求項９に記載の封止集成体。
【請求項１６】
ガラスの個片と、
請求項９から１５までのいずれか１項に記載の封止集成体であって、前記封止集成体のガスケットが前記ガラスのエッジに配置されている、封止集成体と、
を含む、輸送機関用窓ガラス。